(57)【要約】【課題】  発光ダイオード（ＬＥＤ）、導光板、および蛍光材料を備えるバックライトモジュールが提供される。【解決手段】  蛍光材料は、第１の光の伝送路または導光板内に配置される。次に、蛍光材料は、第１の光により励起され、１つまたはそれ以上の第２の光を生成する。第１の光と第２の光が混合される、あるいは、異なる波長の第２の光が混合されて、白色光を形成し、所望の色温度の平面光源を生成する。【選択図】  図５
2006108076.tif 000002
【特許請求の範囲】
【請求項１】
第１の光を放射するように適合された発光ダイオードであって、発光ダイオードが光放射面を有し、発光ダイオードの光放射面が第１の光拡散面である発光ダイオードと、
発光ダイオードに隣接して配置される導光板と、
発光ダイオードと導光板の間で、第１の光の伝送路上に配置される蛍光材料であって、
第１の光拡散面が第１の光を拡散し、蛍光材料が第１の光により励起され第２の光を放射する蛍光材料と、
を備えるバックライトモジュール。
【請求項２】
発光ダイオードが青色発光ダイオードを備え、第１の光が青色光である、請求項１に記載のバックライトモジュール。
【請求項３】
蛍光材料が黄色光を放射する蛍光材料を含み、第２の光が黄色光である、請求項２に記載のバックライトモジュール。
【請求項４】
蛍光材料が緑色光を放射する蛍光材料と赤色光を放射する蛍光材料とを備え、第２の光が緑色光と赤色光を備える、請求項２に記載のバックライトモジュール。
【請求項５】
青色発光ダイオードが青色レーザダイオードを備える、請求項２に記載のバックライトモジュール。
【請求項６】
発光ダイオードが不可視の発光ダイオードを備え、第１の光が不可視光である、請求項１に記載のバックライトモジュール。
【請求項７】
蛍光材料が赤色光を放射する蛍光材料、青色光を放射する蛍光材料、および緑色光を放射する蛍光材料を備え、第２の光が赤色光、青色光、および緑色光を備える、請求項６に記載のバックライトモジュール。
【請求項８】
赤色光を放射する蛍光材料、青色光を放射する蛍光材料、および緑色光を放射する蛍光材料が一列に配置される、互いに積み重ねられる、あるいは互いに混合される、請求項６に記載のバックライトモジュール。
【請求項９】
発光ダイオードが紫外線（ＵＶ）発光ダイオードを備える、請求項６に記載のバックライトモジュール。
【請求項１０】
導光板が光入射面、光拡散面、および光放射面を備える、請求項１に記載のバックライトモジュール。
【請求項１１】
蛍光材料が導光板の光入射面全体に配置される、請求項１０に記載のバックライトモジュール。
【請求項１２】
導光板が光入射面全体に配置される第２の光拡散面を備え、蛍光材料が第２の光拡散面全体に配置される、請求項１１に記載のバックライトモジュール。
【請求項１３】
導光板が光入射面全体に配置される凹部を備え、蛍光材料が凹部に配置される、請求項１１に記載のバックライトモジュール。
【請求項１４】
凹部が第３の光拡散面を備える、請求項１３に記載のバックライトモジュール。
【請求項１５】
蛍光材料を収納するため、導光板の光入射面全体に配置される空隙構造をさらに備える、請求項１１に記載のバックライトモジュール。
【請求項１６】
導光板の光入射面に蛍光材料を被覆し装着するため、導光板の光入射面全体に配置される封止材をさらに備える、請求項１１に記載のバックライトモジュール。
【請求項１７】
導光板が光入射面に対向して位置する第１の蛍光被覆面をさらに備え、蛍光材料が導光板の第１の蛍光被覆面全体に配置される、請求項１０に記載のバックライトモジュール。
【請求項１８】
蛍光材料が導光板の光放射面全体に配置される、請求項１０に記載のバックライトモジュール。
【請求項１９】
蛍光材料が導光板内に配置される、請求項１に記載のバックライトモジュール。
【請求項２０】
蛍光材料が導光板に均一に分布される、あるいは導光板の一部に配置される、請求項１に記載のバックライトモジュール。
【請求項２１】
導光板が光入射面に隣接する第２の蛍光被覆面をさらに備え、蛍光材料が導光板の第２の蛍光被覆面全体に配置される、請求項１０に記載のバックライトモジュール。
【請求項２２】
導光板と発光ダイオードの間に配置されるプリズムをさらに備え、蛍光材料がプリズム内に配置される、請求項１に記載のバックライトモジュール。
【請求項２３】
反射板をさらに備え、発光ダイオードが導光板の下に配置され、反射板が導光板と発光ダイオードに隣接して配置され、蛍光材料が反射板上または反射板と発光ダイオードとの間に配置される、請求項１に記載のバックライトモジュール。
【請求項２４】
反射板が反射湾曲面または複数の連結された反射面を備える、請求項２３に記載のバックライトモジュール。
【請求項２５】
発光ダイオードと導光板との間に配置される透明板をさらに備え、蛍光材料が透明板に配置される、請求項１に記載のバックライトモジュール。
【請求項２６】
導光板の光入射面全体に配置される少なくとも１つの光学フィルムをさらに備え、蛍光材料が光学フィルム内にまたは光学フィルムの表面に配置される、請求項１０に記載のバックライトモジュール。
【請求項２７】
光学フィルムが拡散フィルムおよび／または光度強化フィルムを備える、請求項２６に記載のバックライトモジュール。
【請求項２８】
導光板の光拡散面の下に配置される反射板をさらに備え、蛍光材料が反射板上に配置される、請求項１０に記載のバックライトモジュール。
【請求項２９】
反射型導光板をさらに備え、発光ダイオードが導光板の下にあり、反射型導光板が発光ダイオードと導光板に隣接して配置され、蛍光材料が反射型導光板内に配置される、請求項１０に記載のバックライトモジュール。
【請求項３０】
発光ダイオードと導光板の間に配置され、蛍光材料がその中に配置される透明板と、
発光ダイオードが導光板の下にあって、発光ダイオードと導光板の間または透明板と導光板の間に配置される反射型導光板と
をさらに備える、請求項１に記載のバックライトモジュール。
【請求項３１】
第１の光を放射するように適合された発光ダイオードと、
発光ダイオードに隣接して配置される導光板と、
導光板内に配置され、第１の光により励起され第２の光を放射する蛍光材料と、
を備えるバックライトモジュール。
【請求項３２】
発光ダイオードが青色発光ダイオードを備え、第１の光が青色光である、請求項３１に記載のバックライトモジュール。
【請求項３３】
蛍光材料が黄色光を放射する蛍光材料を備え、第２の光が黄色光である、請求項３２に記載のバックライトモジュール。
【請求項３４】
蛍光材料が緑色光を放射する蛍光材料と赤色光を放射する蛍光材料を備え、第２の光が緑色光と赤色光である、請求項３２に記載のバックライトモジュール。
【請求項３５】
青色発光ダイオードが青色レーザダイオードを含む、請求項３２に記載のバックライトモジュール。
【請求項３６】
発光ダイオードが不可視光発光ダイオードを含み、第１の光が不可視光である、請求項３１に記載のバックライトモジュール。
【請求項３７】
蛍光材料が赤色光を放射する蛍光材料、青色光を放射する蛍光材料、および緑色光を放射する蛍光材料を備え、第２の光が赤色光、青色光、および緑色光である、請求項３６に記載のバックライトモジュール。
【請求項３８】
赤色光を放射する蛍光材料、青色光を放射する蛍光材料、および緑色光を放射する蛍光材料が一列に配列される、互いに積み重ねられる、あるいは互いに混合される、請求項３６に記載のバックライトモジュール。
【請求項３９】
発光ダイオードが紫外線（ＵＶ）発光ダイオードを備える、請求項３６に記載のバックライトモジュール。
【請求項４０】
導光板が光入射面、光拡散面、および光放射面を備える、請求項３１に記載のバックライトモジュール。
【請求項４１】
蛍光材料が光入射面に隣接し、導光板内に配置される、請求項４０に記載のバックライトモジュール。
【請求項４２】
導光板が光入射面全体に配置される第２の光拡散面をさらに備え、蛍光材料が光拡散面に隣接し、導光板内に配置される、請求項４１に記載のバックライトモジュール。
【請求項４３】
蛍光材料が導光板内で均一に分布される、請求項３１に記載のバックライトモジュール。
【発明の詳細な説明】
【技術分野】
【０００１】
本発明は、平面光源、特に、バックライトモジュールに関する。
【背景技術】
【０００２】
コンピュータ、インターネット、およびマルチメディアテクノロジーの発展に伴い、画像データ伝送は、アナログ伝送ではなくデジタル伝送に進展してきた。近代的な生活様式に適合させるため、視覚または画像装置はますます薄型化、軽量化が進んでいる。いくつかの利点はあるものの、陰極線管（ＣＲＴ）ディスプレイは、電子空隙構造と表示中に生成される放射によるその大きなサイズにより完全性は損なわれている。したがって、光電技術と半導体技術を組み合わせると、液晶ディスプレイ（ＬＣＤ）、有機電界発光ディスプレイ（有機ＥＬディスプレイ、ＯＬＥＤ）、プラズマディスプレイパネル（ＰＤＰ）などの平面ディスプレイ（ＦＰＤ）は、市場で主流のディスプレイ商品になっている。
【０００３】
光源の種類によると、ＬＣＤは反射型ＬＣＤ、透過型ＬＣＤ、および半透過型ＬＣＤに分類される。そこで、透過型ＬＣＤおよび半透過型ＬＣＤは、液晶板とバックライトモジュールから成る。液晶板は、２つの透明基板とその間の液晶層から成る。バックライトモジュールは、ＬＣＤディスプレイ機能を実現するため、液晶板の光源としての役目を果たす。一般的に、バックライトモジュールは、ダイレクトタイプおよびサイドタイプのバックライトモジュールを含む。
【０００４】
図１は、従来のダイレクトタイプバックライトモジュールを示す断面図である。図１を参照すると、ダイレクトタイプバックライトモジュール１００は、フレーム１１０、複数の冷陰極蛍光灯（ＣＣＦＬ）１２０、拡散板１３０、および光学フィルム１４０を備える。そこで、これらのＣＣＦＬは、フレーム１１０内に配置される。これらのＣＣＦＬから発せられる光は、フレーム１１０で大まかに混合され、均一な光度を有する平面光源としての役目を果たすため、拡散板１３０と光学フィルム１４０を透過する。また、ダイレクトタイプバックライトモジュール１００は、そこに光を提供するため液晶板１５０の下に配置される。
【０００５】
図２は、従来のサイドタイプバックライトモジュールを示す断面図である。図２を参照すると、サイドタイプバックライトモジュール２００は、導光板２１０、ＣＣＬＰ２２０、反射マスク２３０、光学フィルム２４０、および反射板２６０を備える。そこで、導光板２１０、ふつうはくさび型導光板は、光入射面２１２、光拡散面２１４、および光放射面２１６を備える。ＣＣＬＰ２２０は、導光板２１０の光入射面２１２に隣接して、反射マスク２３０内に配置される。反射板２６０は、導光板２１０の光拡散面２１４全体に配置される。
【０００６】
図２では、ＣＣＬＰ２２０から放射される光は反射マスク２３０に反射されるか、あるいは光入射面２１２を通って導光板２１０に入る。その後、光は光拡散面２１４により拡散され、反射板２６０で反射され、最後に導光板２１０の光放射面２１６から放射される。導光板２１０の光放射面２１６から放射される光は、平面光源を構成する。平面光源は、光学フィルム２４０により処理され、液晶板２５０に提供される。
【０００７】
これまで、バックライトモジュールは、光源としてＣＣＬＰを使用していた。光電技術の最近の進展に伴い、発光ダイオードは小さなサイズ、低動作電流、低電力消費、長寿命、低製造費のため、光源を提供する選択肢となっている。
【０００８】
図３は、発光モジュールを有する従来のサイドタイプバックライトモジュールを示す断面図である。図２および３を参照すると、図３のバックライトモジュール２００’は、図２のバックライトモジュール２００に類似する。唯一の差異は、バックライトモジュール２００’が光源として発光ダイオード２８０を使用することである。バックライトモジュール２００’が、所望の色温度で光を生成するため、白色発光ダイオード、または赤、緑および青色発光ダイオードを使用することに注意されたい。
【０００９】
図４Ａおよび４Ｂは、様々な白色発光ダイオードを示す断面図である。図４Ａを参照すると、白色発光ダイオード２８０’は、赤色発光ダイオードＲ、緑色発光ダイオードＧ、および青色発光ダイオードＢを備え、それらはパッケージ封止材２８２により封止される。これらの発光ダイオードＲ、Ｇ、Ｂから放射される赤色、緑色、および青色光は、混合されて白色光を生成する。
【００１０】
図４Ｂを参照すると、白色発光ダイオード２８０’は、青色発光ダイオードＢと蛍光粉末２８４とを備え、それらはパッケージ封止材２８２内に封止される。白色発光ダイオード２８０’では、蛍光粉末２８４が、黄色光を生成するため、青色発光ダイオードＢから放射される青色光の一部により励起される。その後、黄色光は青色光と混合され、白色光を生成する。
【００１１】
したがって、図４Ａの白色発光ダイオード２８０’は、少なくとも３つの発光ダイオードを備える。これらの発光ダイオードはふつう、別々に駆動される。各発光ダイオードに流れる各電流を制御することにより、所望の色温度を有する白色光が得られる。その結果、白色発光ダイオード２８０’の製造費は、実際には低減させることができず、バックライトモジュールの駆動方法はより複雑化する。図４Ｂの白色発光ダイオード２８０”では、パッケージ封止材２８２中の蛍光粉末２８４の均一性が、白色光の色温度に直接影響を及ぼし、それは制御するのが難しい。さらに、白色発光ダイオード２８０”の製造には追加のロイヤルティが必要とされる。したがって、白色発光ダイオード２８０”の製造費を実際には低減できない。
【発明の開示】
【発明が解決しようとする課題】
【００１２】
したがって、本発明は、製造費を低減することができるバックライトモジュールを目的とする。
【課題を解決するための手段】
【００１３】
本発明は、発光ダイオード、導光板、および蛍光材料を備える、バックライトモジュールを提供する。そこで、発光ダイオードは、第１の光を放射するように適合させられる。また、発光ダイオードは、光放射面を備え、発光ダイオードの光放射面は第１の光拡散面を備える。導光板は、発光ダイオードに隣接して配置される。蛍光材料は、発光ダイオードと導光板の間に配置される。また蛍光材料は、発光ダイオードにより放射される第１の光の伝送路にも配置される。第１の光拡散面が第１の光を拡散した後、蛍光材料は第１の光により励起され、第２の光を放射する。
【発明の効果】
【００１４】
したがって本発明のバックライトモジュールは、少なくとも以下の利点を有する。
１．  本発明は、第１の光の伝送路上、または導光板に蛍光材料を配置する。比較的短い波長の第１の光は蛍光材料を励起して、比較的長い波長の第２の光を生成する。第１の光と第２の光は均一に混合されて、白色光を生成する。
２．  本発明は、短波長の第１の光を使用して、複数の長波長の第２の光を励起する。これらの第２の光は均一に混合されて、白色光を生成する。
３．  赤色、緑色、青色発光ダイオードを使用せずに、本発明のバックライトモジュールは、白色光を生成することができる。よって、バックライトモジュールの製造費が低減され、バックライトモジュールの駆動方法が簡易化される。
【００１５】
本発明の一実施形態によると、発光ダイオードは、たとえば青色発光ダイオードまたは青色レーザダイオードであってもよく、発光ダイオードにより放射される第１の光は青色光である。また、蛍光材料は、黄色光を放射するための蛍光材料を備える。蛍光材料が第１の光（青色光）により励起される際、放射される第２の光は黄色光である。発光ダイオードから放射される青色光と青色光により励起される蛍光材料から放射される黄色光とが完全に混合されると、所望の色温度の白色光が得られる。蛍光材料はさらに、たとえば、緑色光を放射する蛍光材料と赤色光を放射する蛍光材料を備えることができる。蛍光材料が第１の光（青色光）により励起されると、そこから放射される第２の光は緑色光と赤色光である。発光ダイオードから放射される青色光と青色光により励起される蛍光材料から放射される緑色光および赤色光とが完全に混合されると、所望の色温度の白色光が得られる。
【００１６】
本発明の一実施形態では、発光ダイオードは、たとえば紫外線（ＵＶ）発光ダイオードなどの不可視発光ダイオードであってもよい。発光ダイオードから放射される第１の光は、紫外光などの不可視光である。また、蛍光材料は、赤色光を放射する蛍光材料、緑色光を放射する蛍光材料、および青色光を放射する蛍光材料を備える。蛍光材料が第１の光（青色光）により励起されると、そこから放射される第２の光は緑色光、赤色光、および青色光を備える。青色光によって励起される蛍光材料から、緑色光、赤色光、および青色光が完全に混合されると、所望の色温度の白色光が得られる。
【００１７】
本発明の一実施形態では、赤色光を放射する蛍光材料、緑色光を放射する蛍光材料、および青色光を放射する蛍光材料は、たとえば一列に配置される、互いに積み重ねられる、あるいは、導光板の表面または内部で混合させることができる。
【００１８】
本発明の一実施形態では、導光板は、たとえば光入射面、光拡散面、および光放射面を備える。
【００１９】
本発明の一実施形態では、蛍光材料が、導光板の光入射面全体に配置される。さらに、導光板は、光入射面全体に配置される第２の光拡散面を有し、蛍光材料は、たとえば第２の光拡散面全体に配置させることができる。
【００２０】
本発明の一実施形態では、導光板は、たとえば光入射面上の凹部を備え、蛍光材料は、たとえばその凹部に配置させることができる。また、凹部はさらに第３の光拡散面を有する。
【００２１】
本発明の一実施形態では、バックライトモジュールは、たとえば、蛍光材料を収納する、あるいは光導モジュールの光入射面上に蛍光材料を装着するため、導光板の光入射面全体に配置された空隙構造または封止材を備える。
【００２２】
本発明の一実施形態では、導光板は、たとえば光入射面に対向して位置する第１の蛍光被覆面を備える。蛍光材料は、導光板の第１の蛍光被覆面全体に配置される。
【００２３】
本発明の一実施形態では、蛍光材料は、たとえば導光板の光放射面全体または導光板内に配置させることができる。また、蛍光材料は、たとえば導光板に均一に分布される、あるいは、導光板の一部に分布される。
【００２４】
本発明の一実施形態では、導光板は、たとえば光入射面に隣接して配置される第２の蛍光被覆面を備える。蛍光材料は、導光板の第２の蛍光被覆面全体に配置させることができる。
【００２５】
本発明の一実施形態では、バックライトモジュールは、導光板と発光ダイオードの間に配置されるプリズムをさらに備える。蛍光材料はこのプリズム内に配置される。
【００２６】
本発明の一実施形態では、バックライトモジュールが、たとえば反射板をさらに備える。ここで、発光ダイオードは導光板の下に配置され、反射板は導光板と発光ダイオードに隣接して配置される。蛍光材料は、反射板上または反射板と発光ダイオードとの間に配置される。さらに、放射板は、放射湾曲面または複数の連結された反射板を備える。
【００２７】
本発明の一実施形態では、バックライドモジュールが、発光ダイオードと導光板の間に配置される透明板をさらに備える。蛍光材料は、透明板に配置される。
【００２８】
本発明の一実施形態では、バックライトモジュールが、導光板の光放出面全体に配置される光学フィルムをさらに備える。蛍光材料は、光学フィルムの表面上または光学フィルム内に配置される。光学フィルムは、たとえば拡散フィルムおよび／または光度強化フィルムを含む。
【００２９】
本発明の一実施形態では、バックライトモジュールが、たとえば導光板の光拡散面の下に配置される反射板をさらに備え、蛍光材料は反射板上に配置される。
【００３０】
本発明の一実施形態では、バックライトモジュールは、たとえば反射型導光板をさらに備える。そこで、発光ダイオードは導光板の下にあり、反射型導光板は発光ダイオードと導光板に隣接して配置され、蛍光材料は反射型導光板内に配置される。
【００３１】
本発明の一実施形態では、バックライトモジュールが、たとえば透明板と反射型導光板とをさらに備える。透明板は、発光ダイオードと導光板の間に配置され、蛍光材料は透明板内に配置される。反射型導光板は、透明板と導光板に隣接して配置される。発光ダイオードは、導光板の下に配置される。
【００３２】
本発明は、発光ダイオード、導光板、および蛍光材料を備える別のバックライトモジュールを提供する。そこで、発光ダイオードは、第１の光を放射するように適合される。導光板は、発光ダイオードに隣接して配置される。蛍光材料は導光板内に配置され、第１の光により励起されて第２の光を放射する。
【００３３】
本発明の一実施形態では、発光ダイオードは、たとえば青色発光ダイオードまたは青色レーザダイオードであってもよく、発光ダイオードにより放射される第１の光は青色光である。さらに蛍光材料は、黄色光を放射する蛍光材料を備える。蛍光材料が第１の光（青色光）により励起されるとき、第２の光は黄色光である。発光ダイオードから放射される青色光と、青色光により励起される蛍光材料から放射される黄色光が完全に混合されると、所望の色温度の白色光が得られる。蛍光材料は、たとえば緑色光を放射する蛍光材料と赤色光を放射する蛍光材料をさらに備えることができる。蛍光材料が第１の光（青色光）により励起されると、そこから放射される第２の光は緑色光と赤色光である。発光ダイオードから放射される青色光と、青色光により励起される蛍光材料から放射される緑色光と赤色光が完全に混合されると、所望の色温度の白色光が得られる。
【００３４】
本発明の一実施形態では、発光ダイオードは、たとえば紫外線（ＵＶ）発光ダイオードなどの不可視光発光ダイオードであってもよい。発光ダイオードから放射される第１の光は、紫外光などの不可視光である。さらに、蛍光材料は、赤色光を放射する蛍光材料、緑色光を放射する蛍光材料、および青色光を放射する蛍光材料を備える。蛍光材料が第１の光（青色光）により励起されると、そこから放射される第２の光は緑色光、赤色光および青色光である。青色光により励起される蛍光材料から放射される緑色光、赤色光、および青色光が完全に混合されると、所望の色温度の白色光が得られる。
【００３５】
本発明の一実施形態では、赤色光を放射する蛍光材料、緑色光を放射する蛍光材料、および青色光を放射する蛍光材料は、たとえば一列に配列される、互いに積み重ねられる、あるいは導光板の表面または導光板の中で混合させることができる。
【００３６】
本発明の一実施形態では、導光板は、たとえば光入射面、光拡散面、および光放射面を備える。
【００３７】
本発明の一実施形態では、蛍光材料は、たとえば導光板内で、導光板の光入射面に隣接して配置させることができる。さらに、導光板は、たとえば光入射面全体に配置される第２の光拡散面を備え、蛍光材料は、たとえば導光板内で、導光板の第２の光拡散面に隣接して配置させることができる。
【００３８】
本発明の一実施形態では、蛍光材料は、導光板内に均一に分布させることができる。
【００３９】
本発明は、蛍光材料を励起して比較的長い波長の第２の光を放射するために比較的短い波長の第１の光を用い、発光ダイオードから放射される第１の光の伝送路上または導光板内に蛍光材料を配置する。第１の光と第２の光が均一に混合されて、所望の色温度の白い光を生成する。さらに、本発明は、短い波長の第１の光を使用して蛍光材料を励起し、長い波長の複数の第２の光を使用することができる。次に、これらの異なる波長を有する第２の光は、所望の色温度の白い光を生成するために混合される。したがって、本発明は、短波長の光を放射する発光ダイオードと導光板の表面または導光板のなかで一体化された蛍光材料とを使用し、所望の色温度の白い光を生成する。よって、本発明のバックライトモジュールは、製造が容易になる。
【００４０】
本発明の上記のおよびその他の特徴は、添付の図面と併せて提示される、以下の本発明の実施形態の説明よりよく理解されるであろう。
【発明を実施するための最良の形態】
【００４１】
〔第１の実施形態〕
図５および図６は、本発明の第１の実施形態によるバックライトモジュールの上面図および側面図である。図５および６を参照すると、本実施形態のバックライトモジュール３００は、発光ダイオード３１０、導光板３２０、および蛍光材料３３０を備える。そこで、発光ダイオード３１０は、第１の光を放射するように適合される。発光ダイオード３１０は第１の光放射面３１２を備え、第１の光拡散面３１４は光放射面３１２全体に配置される。導光板３２０は、発光ダイオード３１０に隣接して配置される。蛍光材料３３０は、発光ダイオード３１０と導光板３２０の間で、第１の光の伝送路上に配置される。そこで、第１の光拡散面３１４が第１の光を拡散した後、蛍光材料３３０は第１の光により励起され、第２の光を放射する。第１の光拡散面３１４の形状は、たとえば歯状タイプの構造、または光を拡散できるその他のタイプであってもよい。すなわち、本実施形態では、発光ダイオード３１０から放射される光の拡散効果は、第１の拡散面３１４の形状を変更することにより制御可能である。本実施形態では、導光板３２０は、たとえば光拡散面３２２、光入射面３２４、および光放射面３２６を備えることができる。
【００４２】
本実施形態では、発光ダイオード３１０は、たとえば青色光ダイオードまたは青色レーザダイオードであってもよい。蛍光材料３３０は、たとえば黄色光を放射する蛍光材料で構成することができる。すなわち、青色光ダイオードまたは青色レーザダイオード３１０により放射される青色光で励起される際、蛍光材料３３０は黄色光を放射する。黄色光は、導光板３２０の光放射面３２６から放射される白色光を生成するため、導光板３２０内の青色光ダイオードまたは青色レーザダイオード３１０から放射される青色光と交じり合う。
【００４３】
本実施形態では、上記蛍光材料３３０を、たとえば緑色光を放射する蛍光材料と赤色光を放射する蛍光材料から構成することができる。青色光ダイオードまたは青色レーザダイオード３１０により放射される青色光で励起される際、蛍光材料３３０は緑色光と赤色光を放射する。緑色光と赤色光は、導光板３２０の光放射面３２６から放射される白色光を生成するため、導光板３２０内の青色光ダイオードまたは青色レーザダイオード３１０から放射される青色光と交じり合う。
【００４４】
〔第２の実施形態〕
図７および８は、本発明の第２の実施形態によるバックライトモジュールの上面図および側面図である。図７および８を参照すると、本実施形態のバックライトモジュール４００は、発光ダイオード４１０、導光板４２０、および複数の蛍光材料４３０を備える。そこで、発光ダイオード４１０は、第１の光を放射するように適合される。発光ダイオード４１０は、第１の光放射面４１２を備え、第１の光拡散面４１４は第１の光放射面４１２全体に配置される。導光板４２０は、発光ダイオード４１０に隣接して配置される。蛍光材料４３０は、発光ダイオード４１０と導光板４２０の間で、第１の光の伝送路上に配置される。そこで、第１の光拡散面４１４が第１の光を拡散した後、蛍光材料４３０は第１の光により励起され、第２の光を放射する。第１の光拡散面の形状は、たとえば歯状タイプの構造、または光を拡散できるその他のタイプであってもよいことに注意されたい。すなわち、本実施形態では、発光ダイオード４１０から放射される光の拡散効果は、第１の拡散面４１４の形状を変更することにより制御可能である。本実施形態では、導光板４２０は、たとえば光拡散面４２２、光入射面４２４、および光放射面４２６を備えることができる。
【００４５】
本実施形態では、発光ダイオード４１０は、たとえば不可視の発光ダイオード４１０、好ましくは紫外線発光ダイオード（ＵＶ  ＬＥＤ）であってもよい。蛍光材料４３０は、たとえば赤色光４３０ａを放射する蛍光材料、緑色光４３０ｂを放射する蛍光材料、および青色光４３０ｃを放射する蛍光材料から構成される。すなわち、不可視光発光ダイオード４１０から放射される青色光により励起されると、赤色光４３０ａを放射する蛍光材料、緑色光４３０ｂを放射する蛍光材料、および青色光４３０ｃを放射する蛍光材料はそれぞれ、赤色光、緑色光、および青色光を放射する。赤色光、緑色光、および青色光は導光板４２０内で混合され、導光板４２０の光放射面４２６から放射される白色光を生成する。
【００４６】
図９および１０は、本発明の第２の実施形態によるこれらの赤色、緑色、および青色光を放射する蛍光材の料の配置を示す図である。図７、９、および１０を参照すると、赤色光４３０ａを放射する蛍光材料、緑色光４３０ｂを放射する蛍光材料、および青色光４３０ｃを放射する蛍光材料は、たとえば図７に示されるように、導光板４２０の表面上または内部に一列に配列される。また、赤色光４３０ａを放射する蛍光材料、緑色光４３０ｂを放射する蛍光材料、および青色光４３０ｃを放射する蛍光材料は、図９に示されるように、積み重ねの順序を限定せずに、導光板４２０の表面上または内部で互いに積み重ねることができる。さらに、赤色光４３０ａを放射する蛍光材料、緑色光４３０ｂを放射する蛍光材料、および青色光４３０ｃを放射する蛍光材料は、たとえば図１０に示されるように、導光板４２０の表面上または内部で混合させることができる。
【００４７】
第１および第２の実施形態は、蛍光材料を励起するため発光ダイオードから放射される短波長の第１の光を用いて、所望の波長の第２の光を生成する。第１の光と第２の光を混合させることにより、あるいは異なる波長の第２の光を混合させることにより、白色光が生成される。しかし、本発明はそれに限定されない。以下、発光ダイオードの種類、導光板の形状、および蛍光材料の配置に関して説明する。
【００４８】
〔第３の実施形態〕
図１１Ａ〜図１１Ｃは、本発明の第３の実施形態によるバックライトモジュールの上面図である。図１１Ａを参照すると、本発明の導光板５２０は、たとえば光入射面５２２ａ上に第２の光拡散面５２３を備える。また、蛍光材料５３０が、たとえば導光板５２０の第２の拡散面５２３全体に塗布される。図１１Ａに示されるような導光板５２０の第２の光拡散面５２３の歯状構造、または光を拡散可能なその他の種類の面により、導光板５２０の光混合効果を向上させることができる。さらに、導光板５２０の第２の光拡散面５２３は、蛍光材料５３０と導光板５２０の間の接着性を向上させることができる。
【００４９】
図１１Ｂを参照すると、本実施形態の導光板５２０は、光入射面５２２ａ上に凹部５２４を備えることができ、蛍光材料５３０はたとえば凹部５２４で被覆されることができる。本実施形態では、凹部５２４は、たとえば半球状またはその他の形状であってもよい。図１１Ｂでは、凹部５２４は導光板５２０の表面への蛍光材料５３０の被覆を助けるだけでなく、そこに被覆される蛍光材料５３０の量を増加させる。したがって、導光板５２０上に被覆される大量の蛍光材料５３０が必要となる際、本実施形態はその目的を満たすことができる。
【００５０】
図１１Ｃを参照すると、本実施形態の導光板５２０は、光入射面５２２ａ上の凹部５２４’をさらに備え、第３の光拡散面５２５が凹部５２４’全体に形成される。蛍光材料５３０は、凹部５２４’内の光拡散面５２５全体に被覆される。導光板５２０上に被覆される蛍光材料５３０の量が増すだけでなく、蛍光材料５３０と導光板５２０間の接着性を強化することができる。
【００５１】
〔第４の実施形態〕
図１２Ａおよび図１２Ｂは、本発明の第４の実施形態によるバックライトモジュールの上面図である。図１２Ａを参照すると、本実施形態のバックライトモジュール５００は、たとえば空隙構造５２６をさらに備える。空隙構造５２６は、たとえば導光板５２０の表面で、導光板５２０と発光ダイオード５１０間に配置される。本実施形態では、空隙構造５２６は、所望する量の蛍光材料５３０を収納する役割を果たす。
【００５２】
図１２Ｂを参照すると、本実施形態のバックライトモジュール５００は、たとえば封止材５２７をさらに備える。封止材５２７は、蛍光材料５３０を第２の光拡散面５２３に付着させる。本実施形態では、封止材５２７は、好ましくは透明材料またはその他の光により透過可能な材料である。
【００５３】
〔第５の実施形態〕
図１３Ａおよび図１３Ｂは、本発明の第５の実施形態によるバックライトモジュールの上面図および側面図である。図１３Ａを参照すると、本実施形態のバックライトモジュール５００は、たとえば第１の蛍光被覆面５２８を備える。第１の蛍光被覆面５２８は、光入射面５２２ａに対向する。すなわち、蛍光材料５３０は、導光板５２０の第１の蛍光被覆面５２８全体に被覆される。本実施形態では、発光ダイオード５１０が青色発光ダイオードまたは青色レーザダイオードである場合、発光ダイオード５１０から放射される第１の光（青色光）が導光板５２０に入り、第２の光（黄色光）を生成するために第１の蛍光被覆面５２８に被覆された蛍光材料５３０を励起する。
【００５４】
図１３Ｂを参照すると、本実施形態では、蛍光材料５３０は導光板５２０の光放射面５２２ｂ全体に被覆させることができる。同様に、発光ダイオード５１０が青色発光ダイオードまたは青色レーザダイオードである場合、発光ダイオード５１０から放射される第１の光（青色光）が導光板５２０に入り、第２の光（黄色光）を生成するために光放射面５２２ｂに被覆された蛍光材料５３０を励起する。
【００５５】
〔第６の実施形態〕
上記第３、第４、および第５の実施形態と異なり、本実施形態のバックライトモジュール５００では、蛍光材料５３０が導光板５２０内に配置される。
【００５６】
図１４Ａ〜図１４Ｆは、本発明の第６の実施形態によるバックライトモジュールの上面図である。図１４Ａおよび図１４Ｂを参照すると、本実施形態の蛍光材料５３０は、たとえば図１４Ａに示されるように、導光板５２０の一部に配置させることができる。一部の範囲と位置は製造要件に依存し、本発明では限定されない。また、蛍光材料５３０は、図１４Ｂに示されるように、導光板５２０内に均一に分布させることができる。蛍光材料５３０の密度と量は製造要件に依存し、本発明では限定されない。
【００５７】
図１４Ｃ〜図１４Ｅを参照すると、蛍光材料５３０は、導光板５２０内に、たとえば図１４Ｃに示されるように光入射面５２２ａ上の光拡散面５２３に隣接して一列に配列させることができる。そこで、発光ダイオード５１０は、必ずしも第１の光拡散面を含む必要がない。また、図１４Ｄでは、蛍光材料５３０は、光入射面５２２ａ上の第２の光拡散面５２３に隣接するストライプ状であってよい。本実施形態では、発光ダイオード５１０から放射される紫外光などの第１の光は、第２の光拡散面５２３により拡散させることができ、拡散された第１の光は、導光板５２０において蛍光材料５３０を励起して赤色光、緑色光、および青色光などの第２の光を生成する。異なる波長を有する第２の光は、導光板５２０で均一に混合されて所望の色温度の白色光を生成する。
【００５８】
図１４Ｃ、図１４Ｅ、および図１４Ｆを参照されたい。図１４Ｃでは、一列に、たとえば導光板５２０内に配列される蛍光材料５３０は、赤色光５３０ａを放射する蛍光材料、緑色光５３０ｂを放射する蛍光材料、および青色光５３０ｃを放射する蛍光材料から構成することができる。また、赤色光５３０ａを放射する蛍光材料、緑色光５３０ｂを放射する蛍光材料、および青色光５３０ｃを放射する蛍光材料は、図１４Ｅに示されるように、導光板５２０内で互いに積み重ねることができる。さらに、蛍光材料の積み重ね順序は限定されない。赤色光５３０ａを放射する蛍光材料、緑色光５３０ｂを放射する蛍光材料、および青色光５３０ｃを放射する蛍光材料は、たとえば図１４Ｆに示されるように、導光板５２０内で混合させることができる。
【００５９】
〔第７の実施形態〕
図１５〜図２１は、本発明の第７の実施形態によるバックライトモジュールの側面図である。図１５を参照すると、本実施形態のバックライトモジュール５００では、導光板５２０は光入射面５２２ａに隣接する第２の蛍光被覆面５２９を備える。蛍光材料５３０は、第２の蛍光被覆面５２９全体に配置される。蛍光材料５３０を発光ダイオード５１０から放射される第１の光で励起するため、発光ダイオード５１０は導光板５２０の下に配置される。
【００６０】
図１６〜図１８を参照されたい。本実施形態のバックライトモジュール５００は、図１６でプリズム５４０をさらに備える。蛍光材料５３０は、たとえばプリズム５４０内に被覆される。また、本実施形態のプリズムは、図１７および図１８に示されるような蛍光材料５３０を担持できる、反射板５５０またはその他の光学機器などの装置と置き換えることができる。本実施形態では、反射板５５０は、たとえば図１７に示されるような反射湾曲面５５２叉は複数の反射面５５４を備える。図１８は、２つのみの反射面を有する構造を示す。本実施形態の蛍光材料５３０は、図１７では反射板５５０の反射湾曲面５５２上に、図１８では反射面５５４上に被覆される。
【００６１】
図１７および図１８と比較すると、図１９および図２０は、蛍光材料５３０の異なる配置を有する構造を示す。反射板５５０の反射湾曲面または反射面上に被覆されることに加えて、蛍光材料５３０は発光ダイオード５１０と反射板５５０の間にも配置させることができる。たとえば、まず蛍光材料５３０が透明基板に被覆され、次に蛍光材料５３０を有する透明基板が、発光ダイオード５１０と反射板５５０の間に配置される。もちろん、本発明はそれに限定されない。発光ダイオード５１０と反射板５５０の間に配置される蛍光材料５３０を含む実施形態であればすべて本発明の範囲に属する。
【００６２】
図２１を参照すると、反射板５５０は、たとえば導光板５２０の光拡散面５２２ｃの下に配置させることもできる。蛍光材料５３０を反射板５５０全体に配置することにより、発光ダイオード５１０により放射される第１の光は蛍光材料５３０を励起して、第２の光を生成する。そこで、蛍光材料５３０は、たとえば反射板５５０上に配置させることができる。
【００６３】
〔第８の実施形態〕
図２２および図２３は、本発明の第８の実施形態によるバックライトモジュールの側面図である。図２２を参照すると、本実施形態のバックライトモジュール５００は透明板５６０をさらに備えることができ、蛍光材料５３０は透明板５６０に配置される。蛍光材料５３０を発光ダイオード５１０から放射される第１の光で励起するため、透明板５６０は発光ダイオード５１０と導光板５２０間に配置される。本実施形態では、発光ダイオード５１０が青色発光ダイオードまたは青色レーザダイオードである場合、発光ダイオード５１０から放射される第１の光（青色光）は、第２の光（黄色光）を生成するため透明板５６０内で蛍光材料５３０を励起し、その後、導光板５２０に入射する。
【００６４】
図２３を参照すると、本実施形態の蛍光材料５３０は、透明板５６０の表面全体に配置させることができる。同様に、発光ダイオード５１０が青色発光ダイオードまたは青色レーザダイオードである場合、発光ダイオード５１０から放射される第１の光（青色光）は、第２の光（黄色光）を生成するため透明板５６０内で蛍光材料５３０を励起し、その後、導光板５２０に入射する。
【００６５】
〔第９の実施形態〕
図２４および図２５は、本発明の第９の実施形態によるバックライトモジュールの側面図である。図２４を参照すると、本実施形態のバックライトモジュール５００は光学フィルム５７０をさらに含むことができ、蛍光材料５３０は光学フィルム５７０の表面に配置される。蛍光材料５３０を発光ダイオード５１０から放射される第１の光で励起するため、光学フィルム５７０は導光板５２０の光放射面５２２ｂに配置される。本実施形態では、発光ダイオード５１０が青色発光ダイオードまたは青色レーザダイオードである場合、発光ダイオード５１０から放射される第１の光（青色光）は導光板５２０に入射し、光入射面５２２ｂから放射され、その後、第２の光（黄色光）を生成するため光学フィルム５７０の表面の蛍光材料５３０を励起する。
【００６６】
図２５を参照すると、蛍光材料５３０は光学フィルム５７０に配置される。同様に、発光ダイオード５１０が青色発光ダイオードまたは青色レーザダイオードである場合、発光ダイオード５１０から放射される第１の光（青色光）は導光板５２０に入射し、光放射面５２２ｂから放射され、その後、第２の光（黄色光）を生成するため光学フィルム５７０の表面の蛍光材料５３０を励起する。さらに、図２４および図２５の光学フィルムは、たとえば拡散フィルムおよび／または光度強化フィルムであってもよい。
【００６７】
〔第１０の実施形態〕
図２６は、本発明の第１０の実施形態によるバックライトモジュールの側面図である。図２６を参照すると、本実施形態のバックライトモジュール５００は反射型導光板５８０をさらに含むことができ、蛍光材料５３０は反射型導光板５８０に配置される。蛍光材料５３０を発光ダイオード５１０から放射される第１の光で励起するため、発光ダイオード５１０は導光板５２０の下に配置され、反射型導光板５８０は発光ダイオード５１０と導光板５２０に隣接して配置される。本実施形態では、発光ダイオード５１０が青色発光ダイオードまたは青色レーザダイオードである場合、発光ダイオード５１０から放射される第１の光（青色光）は反射型導光板５８０に入射し、第２の光（黄色光）を生成するため反射型導光板５８０内の蛍光材料５３０を励起する。反射型導光板５８０及び導光板５２０から生成される白色光は光放射面５２２ｂから放射される。
【００６８】
〔第１１の実施形態〕
図２７は、本発明の第１１の実施形態によるバックライトモジュールの側断面図である。図２７を参照すると、本実施形態のバックライトモジュール５００は透明板５６０と反射型導光板５８０とをさらに含むことができ、蛍光材料５３０は透明板５６０に配置される。蛍光材料５３０を発光ダイオード５１０から放射される第１の光で励起するため、透明板５６０は発光ダイオード５１０と導光板５２０の間に配置される。発光ダイオード５１０は導光板５２０の下に配置され、反射型導光板５８０は透明板５６０と導光板５２０に隣接して配置される。本実施形態では、発光ダイオード５１０が青色発光ダイオードまたは青色レーザダイオードである場合、発光ダイオード５１０から放射される第１の光（青色光）は、第２の光（黄色光）を生成するため、透明板５６０内の蛍光材料５３０を励起する。反射型導光板５８０と導光板５２０から生成される光は、光放射面５２２ｂから放射される。
【産業上の利用可能性】
【００６９】
本発明は模範的な実施形態の点から述べられているが、それに限定されない。添付の請求項は、本発明の同等物の範囲を超えずに当業者により成すことの可能なその他の発明の変形および実施形態を含むように幅広く解釈されるべきである。
【図面の簡単な説明】
【００７０】
【図１】図１は、従来のダイレクトタイプバックライトモジュールを示す断面図である。
【図２】図２は、従来のサイドタイプバックライトモジュールを示す断面図である。
【図３】図３は、従来の発光モジュールを有するサイドタイプバックライトモジュールを示す断面図である。
【図４Ａ】図４Ａは、異なる白色発光モジュールを示す断面図である。
【図４Ｂ】図４Ｂは、異なる白色発光モジュールを示す断面図である。
【図５】図５は、本発明の第１の実施形態によるバックライトモジュールの上面図である。
【図６】図６は、本発明の第１の実施形態によるバックライトモジュールの側面図である。
【図７】図７は、本発明の第２の実施形態によるバックライトモジュールの上面図である。
【図８】図８は、本発明の第２の実施形態によるバックライトモジュールの側面図である。
【図９】図９は、本発明の第２の実施形態によるこれらの赤色、緑色、および青色光を放射する蛍光材料の配置を示す図である。
【図１０】図１０は、本発明の第２の実施形態によるこれらの赤色、緑色、および青色光を放射する蛍光材料の配置を示す図である。
【図１１Ａ】図１１Ａは、本発明の第３の実施形態によるバックライトモジュールの上面図である。
【図１１Ｂ】図１１Ｂは、本発明の第３の実施形態によるバックライトモジュールの上面図である。
【図１１Ｃ】図１１Ｃは、本発明の第３の実施形態によるバックライトモジュールの上面図である。
【図１２Ａ】図１２Ａは、本発明の第４の実施形態によるバックライトモジュールの上面図である。
【図１２Ｂ】図１２Ｂは、本発明の第４の実施形態によるバックライトモジュールの上面図である。
【図１３Ａ】図１３Ａは、本発明の第５の実施形態によるバックライトモジュールの上面図である。
【図１３Ｂ】図１３Ｂは、本発明の第５の実施形態によるバックライトモジュールの側面図である。
【図１４Ａ】図１４Ａは、本発明の第６の実施形態によるバックライトモジュールの上面図である。
【図１４Ｂ】図１４Ｂは、本発明の第６の実施形態によるバックライトモジュールの上面図である。
【図１４Ｃ】図１４Ｃは、本発明の第６の実施形態によるバックライトモジュールの上面図である。
【図１４Ｄ】図１４Ｄは、本発明の第６の実施形態によるバックライトモジュールの上面図である。
【図１４Ｅ】図１４Ｅは、本発明の第６の実施形態によるバックライトモジュールの上面図である。
【図１４Ｆ】図１４Ｆは、本発明の第６の実施形態によるバックライトモジュールの上面図である。
【図１５】図１５は、本発明の第７の実施形態によるバックライトモジュールの上面図である。
【図１６】図１６は、本発明の第７の実施形態によるバックライトモジュールの上面図である。
【図１７】図１７は、本発明の第７の実施形態によるバックライトモジュールの上面図である。
【図１８】図１８は、本発明の第７の実施形態によるバックライトモジュールの上面図である。
【図１９】図１９は、本発明の第７の実施形態によるバックライトモジュールの上面図である。
【図２０】図２０は、本発明の第７の実施形態によるバックライトモジュールの上面図である。
【図２１】図２１は、本発明の第７の実施形態によるバックライトモジュールの上面図である。
【図２２】図２２は、本発明の第８の実施形態によるバックライトモジュールの側面図である。
【図２３】図２３は、本発明の第８の実施形態によるバックライトモジュールの側面図である。
【図２４】図２４は、本発明の第９の実施形態によるバックライトモジュールの側面図である。
【図２５】図２５は、本発明の第９の実施形態によるバックライトモジュールの側面図である。
【図２６】図２６は、本発明の第１０の実施形態によるバックライトモジュールの側面図である。
【図２７】図２７は、本発明の第１１の実施形態によるバックライトモジュールの側断面図である。
【符号の説明】
【００７１】
１００ ダイレクトタイプバックライトモジュール
１１０ フレーム
１３０ 拡散板
１４０ 光学フィルム
１５０ 液晶板
２００ サイドタイプバックライトモジュール
２１０ 導光板
２１２ 光入射面
２１４ 光拡散面
２１６ 光放射面
２３０ 反射マスク
２４０ 光学フィルム
２５０ 液晶板
２６０ 反射板
２８０ 白色発光ダイオード
２８０”      白色発光ダイオード
２８２ パッケージ封止材
２８４ 蛍光粉末
３００ バックライトモジュール
３１０ 発光ダイオード（青色レーザダイオード）
３１２ 光放射面
３１４ 光拡散面
３２０ 導光板
３２２ 光拡散面
３２４ 光入射面
３２６ 光放射面
３３０ 蛍光材料
４００ バックライトモジュール
４１０ 発光ダイオード（不可視光発光ダイオード）
４１２ 光放射面
４１４ 光拡散面
４２０ 導光板
４２２ 光拡散面
４２４ 光入射面
４２６ 光放射面
４３０ 蛍光材料
４３０ａ      赤色光
４３０ｂ      緑色光
４３０ｃ      青色光
５００ バックライトモジュール
５１０ 発光ダイオード
５２０ 導光板
５２２ａ      光入射面
５２２ｂ      光放射面
５２２ｃ      光拡散面
５２３ 光拡散面
５２４ 凹部
５２５ 光拡散面
５２６ 空隙構造
５２７ 封止材
５２８ 蛍光被覆面
５２９ 蛍光被覆面
５３０ 蛍光材料
５３０ａ      赤色光
５３０ｂ      緑色光
５３０ｃ      青色光
５４０ プリズム
５５０ 反射板
５５２ 反射湾曲面
５５４ 反射面
５６０ 透明板
５７０ 光学フィルム
５８０ 反射型導光板
【図１】
2006108076.tif 000003
【図２】
2006108076.tif 000004
【図３】
2006108076.tif 000005
【図４Ａ】
2006108076.tif 000006
【図４Ｂ】
2006108076.tif 000007
【図５】
2006108076.tif 000008
【図６】
2006108076.tif 000009
【図７】
2006108076.tif 000010
【図８】
2006108076.tif 000011
【図９】
2006108076.tif 000012
【図１０】
2006108076.tif 000013
【図１１Ａ】
2006108076.tif 000014
【図１１Ｂ】
2006108076.tif 000015
【図１１Ｃ】
2006108076.tif 000016
【図１２Ａ】
2006108076.tif 000017
【図１２Ｂ】
2006108076.tif 000018
【図１３Ａ】
2006108076.tif 000019
【図１３Ｂ】
2006108076.tif 000020
【図１４Ａ】
2006108076.tif 000021
【図１４Ｂ】
2006108076.tif 000022
【図１４Ｃ】
2006108076.tif 000023
【図１４Ｄ】
2006108076.tif 000024
【図１４Ｅ】
2006108076.tif 000025
【図１４Ｆ】
2006108076.tif 000026
【図１５】
2006108076.tif 000027
【図１６】
2006108076.tif 000028
【図１７】
2006108076.tif 000029
【図１８】
2006108076.tif 000030
【図１９】
2006108076.tif 000031
【図２０】
2006108076.tif 000032
【図２１】
2006108076.tif 000033
【図２２】
2006108076.tif 000034
【図２３】
2006108076.tif 000035
【図２４】
2006108076.tif 000036
【図２５】
2006108076.tif 000037
【図２６】
2006108076.tif 000038
【図２７】
2006108076.tif 000039